【手続補正書】
【提出日】平成26年4月16日(2014.4.16)
【手続補正１】
【補正対象書類名】明細書
【補正対象項目名】０２２４
【補正方法】変更
【補正の内容】
【０２２４】
本明細書中に引用される特許、特許文献、及び刊行物の完全な開示は、それぞれが個々に組み込まれたかのように、その全体が参照することによって組み込まれる。本発明の範囲及び趣旨から逸脱することなく本発明に様々な変更及び改変を行い得る点は、当業者には明らかであろう。本発明は、本明細書で述べる例示的な実施形態及び実施例によって不要に限定されない点、また、こうした実施例及び実施形態はあくまで例として与えられるものであり、本発明の範囲は、本明細書において以下に記載される「特許請求の範囲」によってのみ限定されるものである点は理解すべきである。本発明の実施態様の一部を以下の項目［１］−［３６］に記載する。
［１］
基材表面の改質方法であって、
（ａ）コーティング組成物を基材に適用する工程であって、前記コーティング組成物が
（ｉ）非球状ナノ粒子、
（ｉｉ）球状ナノ粒子、
（ｉｉｉ）任意に親水基、及び任意に界面活性剤、並びに
（ｉｖ）水と、存在する場合、液体媒質の総重量を基準として３０重量％以下の有機溶媒と、を含む液体媒質、
を含み、前記非球状ナノ粒子の少なくとも一部分又は前記球状ナノ粒子の少なくとも一部分が、化学結合を介して前記非球状ナノ粒子又は前記球状ナノ粒子の表面に結合している官能基を含み、更に、前記官能基が、エポキシ基、アミン基、ヒドロキシル、オレフィン、アルキン、（メタ）アクリラト、メルカプト、又はこれらの組み合わせから選択される少なくとも１種の基を含む、コーティング組成物を基材に適用する工程、及び
（ｂ）前記コーティング組成物を乾燥させて前記基材上に親水性コーティングを形成する工程、
を含む、基材表面の改質方法。
［２］
前記非球状ナノ粒子の全て又は前記球状ナノ粒子の全てが前記官能基を含む、項目１に記載の方法。
［３］
前記非球状ナノ粒子と前記球状ナノ粒子との重量比が、９５：５〜５：９５の範囲である、項目１に記載の方法。
［４］
前記非球状ナノ粒子と前記球状ナノ粒子との重量比が、８０：２０〜２０：８０の範囲である、項目３に記載の方法。
［５］
前記非球状ナノ粒子と前記球状ナノ粒子との重量比が、７０：３０〜３０：７０の範囲である、項目４に記載の方法。
［６］
前記非球状ナノ粒子の少なくとも一部が、シリカナノ粒子を含む、項目１に記載の方法。
［７］
前記球状ナノ粒子の少なくとも一部が、シリカナノ粒子を含む、項目１に記載の方法。
［８］
前記基材がガラス又はセラミックである、項目１に記載の方法。
［９］
前記方法が、前記コーティングされた基材を２００℃〜７５０℃の範囲の温度で焼結する工程を更に含む、項目１に記載の方法。
［１０］
前記非球状ナノ粒子が、１〜２００ｎｍの平均粒径、及び２〜１００のアスペクト比を有する、項目１に記載の方法。
［１１］
前記球状ナノ粒子が、１〜１２０ｎｍの平均粒径を有する、項目１に記載の方法。
［１２］
前記コーティング組成物が、前記コーティング組成物の総重量を基準として、少なくとも０．０５重量％の非球状ナノ粒子でかつ４０重量％以下の非球状ナノ粒子を含む、項目１に記載の方法。
［１３］
前記コーティング組成物が、前記コーティング組成物の総重量を基準として、少なくとも０．０５重量％の球状ナノ粒子でかつ４０重量％以下の球状ナノ粒子を含む、項目１に記載の方法。
［１４］
前記コーティング組成物が、前記コーティング組成物の総重量を基準として、０．０１重量％〜５重量％の界面活性剤を含む、項目１に記載の方法。
［１５］
前記非球状ナノ粒子が細長いナノ粒子である、項目１に記載の方法。
［１６］
前記球状ナノ粒子が前記官能基を含む、項目１に記載の方法。
［１７］
項目１に記載の方法を用いて改質された基材表面を含む物品。
［１８］
コーティング組成物であって、
非球状ナノ粒子と、
球状ナノ粒子と、
任意の親水基及び任意の界面活性剤と、
水、及び存在する場合、液体媒質の総重量を基準として３０重量％以下の有機溶媒を含む液体媒質と、を含み、
前記非球状ナノ粒子の少なくとも一部分又は前記球状ナノ粒子の少なくとも一部分が、化学結合を介してそれらの表面に結合している官能基を含み、前記官能基が、エポキシ基、アミン基、ヒドロキシル、オレフィン、アルキン、（メタ）アクリラト、メルカプト基、又はこれらの組み合わせからなる群から選択される少なくとも１種の基を含む、コーティング組成物。
［１９］
前記非球状ナノ粒子の全て又は前記球状ナノ粒子の全てが前記官能基を含む、項目１８に記載の組成物。
［２０］
前記非球状ナノ粒子と前記球状ナノ粒子との重量比が、９５：５〜５：９５の範囲である、項目１８に記載の組成物。
［２１］
前記非球状ナノ粒子と前記球状ナノ粒子との重量比が、７０：３０〜３０：７０の範囲である、項目２０に記載の組成物。
［２２］
前記非球状ナノ粒子の少なくとも一部がシリカナノ粒子を含む、項目１８に記載の組成物。
［２３］
前記球状ナノ粒子の少なくとも一部がシリカナノ粒子を含む、項目１８に記載の組成物。
［２４］
前記基材がガラス又はセラミックである、項目１８に記載の組成物。
［２５］
前記非球状ナノ粒子が、１〜２００ｎｍの平均粒径、及び２〜１００のアスペクト比を有する、項目１８に記載の組成物。
［２６］
前記球状ナノ粒子が、１〜１２０ｎｍの平均粒径を有する、項目１８に記載の組成物。
［２７］
前記コーティング組成物が、前記コーティング組成物の総重量を基準として、少なくとも０．０５重量％の非球状ナノ粒子でかつ４０重量％以下の非球状ナノ粒子を含む、項目１８に記載の組成物。
［２８］
前記コーティング組成物が、前記コーティング組成物の総重量を基準として、少なくとも０．０５重量％の球状ナノ粒子でかつ４０重量％以下の球状ナノ粒子を含む、項目１８に記載の組成物。
［２９］
前記コーティング組成物が、前記コーティング組成物の総重量を基準として、０．０１重量％〜５重量％の界面活性剤を含む、項目１８に記載の組成物。
［３０］
乾燥したコーティングが、前記基材に反射防止性、洗浄容易性、及び／又は耐久性特性を少なくとも２４時間にわたって提供する、項目１８に記載の組成物。
［３１］
前記非球状ナノ粒子が細長いナノ粒子である、項目１８に記載の組成物。
［３２］
前記球状ナノ粒子が前記官能基を含む、項目１８に記載の組成物。
［３３］
項目１８に記載のコーティング組成物を用いて改質された基材表面を含む物品。
［３４］
ソーラーパネルである、項目３３に記載の物品。
［３５］
前記基材がガラスである、項目３３に記載の物品。
［３６］
前記ガラスが強化されている、項目３５に記載の物品。
【手続補正２】
【補正対象書類名】特許請求の範囲
【補正対象項目名】全文
【補正方法】変更
【補正の内容】
【特許請求の範囲】
【請求項１】
コーティング組成物であって、
非球状ナノ粒子と、
球状ナノ粒子と、
任意の親水基及び任意の界面活性剤と、
水、及び存在する場合、液体媒質の総重量を基準として３０重量％以下の有機溶媒を含む液体媒質と、を含み、
前記非球状ナノ粒子の少なくとも一部分又は前記球状ナノ粒子の少なくとも一部分が、化学結合を介してそれらの表面に結合している官能基を含み、前記官能基が、エポキシ基、アミン基、ヒドロキシル、オレフィン、アルキン、（メタ）アクリラト、メルカプト基、又はこれらの組み合わせからなる群から選択される少なくとも１種の基を含む、コーティング組成物。
【請求項２】
前記コーティング組成物が、前記コーティング組成物の総重量を基準として、少なくとも０．０５重量％の球状ナノ粒子でかつ４０重量％以下の球状ナノ粒子を含む、請求項１に記載の組成物。